(57)【要約】【課題】戸枠に設けられたガイドレールに対し戸板を着脱できる引戸用ランナー構造を提供する。【解決手段】戸枠１１に設けられたガイドレール１２に沿って走行するガイドローラ２０と、引戸１３に固定されるユニット部材３０と、を有し、ユニット部材３０は、ケース部材３１と、ケース部材３１に設けられガイドレール１２内に設けられたバー部材（ラック部材１４とタイミングバー１５）に関係する関係部材（ギヤ部材３２とダンパーリンク３６）と、上端に対ガイドローラ接続部２３を備えると共に、下端にケース部材３１に対しガイドレール１２に沿った方向に挿し込み係合ロックしかつ外部操作によりロック解除し得る係合ロック部材２１ｃを備えた支軸ブロック体２１と、を備え、支軸ブロック体２１の対ガイドローラ接続部２３は、ガイドレール１２の長手方向に対して水平に直交する方向に延びガイドローラ２０を片持ち式に支持する。【選択図】図７
2014101667.tif 000002
【特許請求の範囲】
【請求項１】
戸枠の上縁に設けられたガイドレールに沿って走行するガイドローラと、
戸板の上端角部に固定されるユニット部材と、を有し、
前記ユニット部材は、
戸板に取り付けられるケース部材と、
前記ケース部材に設けられ、前記ガイドレール内に突出し、前記ガイドレール内に設けられたバー部材に関係する関係部材と、
上端に前記ガイドローラと接続される対ガイドローラ接続部を備えると共に、下端に前記ケース部材に対し前記ガイドレールに沿った方向に挿し込み係合ロックしかつ外部操作によりロック解除し得る係合ロック部材を備えた支軸ブロック体と、を備え、
前記支軸ブロック体の対ガイドローラ接続部は、前記ガイドレールの長手方向に対して水平に直交する方向に延びて設けられ前記ガイドローラを片持ち式に支持することを特徴とする引戸用ランナー構造。
【請求項２】
前記ケース部材は、戸板の隅角部の側端より凹設された収容部に対し、前記ガイドレールに沿った方向に着脱可能に内包されて係合する、請求項１に記載の引戸用ランナー構造。
【請求項３】
前記戸板の戸先及び戸尻において取り付けられる前記支軸ブロック体が共通である、請求項１または２に記載の引戸用ランナー構造。
【発明の詳細な説明】
【技術分野】
【０００１】
本発明は、戸板の上端に設けられたガイドローラが戸枠の上縁に設けられたガイドレール内に位置され走行すると共に、戸板の上端に設けられた回転力蓄勢機構の関係部材がガイドレール内に侵入して戸枠に設けられたバー部材に係合し移動される自動閉扉機能を有する引戸に適用される引戸用ランナー構造に関する。
【背景技術】
【０００２】
従来のこの種の引戸用ランナー構造が特許文献１，２に開示されている。
特許文献１に開示された引戸用ランナー構造は、戸枠の上縁に設けられたガイドレールに、戸板の上端両隅に設けられた戸車とソフトクローザのフックが位置される。
特許文献２に開示された自閉式引戸装置は、戸板の上端両隅に設けられたランナー部材が、戸枠の上縁に設けられたレール内に位置され該レールに載って走行すると共に、レールに付設されたラックに対し戸板に設けられた駆動歯車が噛合回転する。
【先行技術文献】
【特許文献】
【０００３】
【特許文献１】特開２００６−１１２１１５号公報
【特許文献２】特開２００５−０５４４８３号公報
【発明の概要】
【発明が解決しようとする課題】
【０００４】
特許文献１，２に記載された技術によれば、戸車をレールからレールに垂直な方向に外そうとすると、ソフトクローザのフック又は駆動歯車がレールに干渉するので引戸を外すことができない、という問題点がある。
【０００５】
本発明は、上述した点に鑑み案出されたもので、戸板側に設けられるガイドローラが戸枠側に設けられるガイドレール内で該ガイドレール内に係合して走行すると共に、戸板側に設けられる関係部材が戸枠側に設けられるバー部材に係合する自閉式引戸装置において、戸板の着脱が行える引戸用ランナー構造を提供することを目的とする。
【課題を解決するための手段】
【０００６】
上記目的を達成するために、本発明の引戸用ランナー構造は、戸枠の上縁に設けられたガイドレールに沿って走行するガイドローラと、戸板の上端角部に固定されるユニット部材と、を有し、前記ユニット部材は、戸板に取り付けられるケース部材と、前記ケース部材に設けられ、前記ガイドレール内に突出し、前記ガイドレール内に設けられたバー部材に関係する関係部材と、上端に前記ガイドローラと接続される対ガイドローラ接続部を備えると共に、下端に前記ケース部材に対し前記ガイドレールに沿った方向に挿し込み係合ロックしかつ外部操作によりロック解除し得る係合ロック部材を備えた支軸ブロック体と、を備え、前記支軸ブロック体の対ガイドローラ接続部は、前記ガイドレールの長手方向に対して水平に直交する方向に延びて設けられ前記ガイドローラを片持ち式に支持することを特徴とする。
【０００７】
この構成によれば、戸板を吊り込むには、先に、戸板と分離した支軸ブロック体と接続されたガイドローラをガイドレール内に下方から挿入し水平方向に移動して該ガイドレールに走行可能に係合し、次いで戸板に設けられたユニット部材に含まれる関係部材をガイドレール内に下方から挿入しガイドレール内に設けられたバー部材に係合し、支軸ブロック体を戸板に組付けたケース部材に対しガイドレールに沿った方向に挿し込み係合ロックする。また、戸板を取り外すには、戸板が下降しないように下端に下支え部材を挿入してから、係合ロック部材を外部操作して支軸ブロック体とケース部材との係合を解除し、支軸ブロック体をガイドレールに沿った方向に移動して分離する。次いで、下支え部材を外して戸板を下降し、関係部材をガイドレールから離脱させる。
以上により、戸板側に設けられるガイドローラが戸枠側に設けられるガイドレール内で該ガイドレール内に係合して走行すると共に、戸板側に設けられる関係部材が戸枠側に設けられるバー部材に係合する自閉式引戸装置において、戸板の着脱が行える。また、ガイドローラを含み該ガイドローラを片持ち式に支持する支軸ブロック体を戸板に対して係合ロック・ロック解除自在に設けたので、戸板の左右で部材を共通にできる。
【０００８】
前記ケース部材は、戸板の隅角部の側端より凹設された収容部に対し、前記ガイドレールに沿った方向に着脱可能に内包されて係合することが好ましい。
【０００９】
この構成によれば、支軸ブロック体を戸板に対して係合ロック・ロック解除自在であることに加えて、ケース部材についてもガイドレールに沿った方向に移動して戸板から分離することができる。従って、支軸ブロック体をガイドレールから外すことなく、ユニット部材を戸板から外すことで戸板を着脱することもできる。
【００１０】
前記戸板の戸先及び戸尻において取り付けられる前記支軸ブロック体が共通であることが好ましい。
【００１１】
この構成によれば、支軸ブロック体の型を共通にすることにより、コスト削減を実現することができる。
【発明の効果】
【００１２】
本発明によれば、戸板側に設けられるガイドローラが戸枠側に設けられるガイドレール内で該ガイドレール内に係合して走行すると共に、戸板側に設けられる関係部材が戸枠側に設けられるバー部材に係合する自閉式引戸装置において、戸板の着脱が行える引戸用ランナー構造を提供することができる。
【図面の簡単な説明】
【００１３】
【図１】本発明の第１の実施形態にかかり、回転力蓄勢機構を備えた引戸用ランナー構造を組み込んだ自閉式引戸の全体構成を示す概略斜視図である。
【図２】図１に示す引戸用ランナー構造に組み込まれたガイドレールを示す一部破断平面図である。
【図３】図２に示すガイドレールの左側面図である。
【図４】図１に示すガイドレールのガイドレールとラック部材とタイミングバーの取付状態を示す正面図である。
【図５】図２の引戸用ランナー構造に組み込まれたガイドローラを示す拡大斜視図である。
【図６】図５のガイドローラを示す分解斜視図である。
【図７】引戸が下限位置となるように調整された状態の図１の引戸用ランナー構造の内部を示す概略正面図である。
【図８】ダンパー作動時における図１の引戸用ランナー構造を示す一部破断側面図である。
【図９】図２の引戸用ランナー構造を示す分解斜視図である。
【図１０】引戸が上限位置となるように調整された状態の図１の引戸用ランナー構造の内部を示す概略正面図である。
【図１１】回転力蓄勢機構の一時停止機能開始時における引戸用ランナー構造のユニット部材を示す概略正面図である。
【図１２】回転力蓄勢機構の一時停止機能作動時における引戸用ランナー構造のユニット部材を示す概略正面図である。
【図１３】回転力蓄勢機構の一時停止機能終了時における引戸用ランナー構造のユニット部材を示す概略正面図である。
【図１４】引戸が下限位置となるように調整された図１の引戸用ランナー構造を示す概略正面図である。
【図１５】引戸が上限位置となるように調整された図１の引戸用ランナー構造を示す概略正面図である。
【図１６】図１の引戸用ランナー構造を使用して引戸を戸枠に組み込む施工状態を示す概略斜視図である。
【図１７】図１６における施工状態を示す概略正面図である。
【発明を実施するための形態】
【００１４】
図１は、本発明の一実施形態に係り、回転力蓄勢機構が蓄勢する回転力を利用して自閉する引戸用ランナー構造の引戸に組み込んだ状態を示している。
図１において、引戸用ランナー構造１０は、建物等に設けられた開口部の戸枠１１の上縁に設けられたガイドレール１２に沿って長手方向（Ｘ方向）に引戸（戸板）１３を移動可能に支持するように構成されており、ガイドレール１２に沿って走行するガイドローラ２０と、引戸１３の上端に取り付けられ、ガイドローラ２０に連結されるユニット部材３０と、から構成されている。
【００１５】
上記構成の引戸用ランナー構造１０において、本発明に係る実施形態の特徴部分は、図５〜図１０に示すように、ユニット部材３０が、引戸１３に取り付けられるケース部材３１と、ケース部材３１に設けられ、ガイドレール１２内に突出し、ガイドレール１２内に設けられたバー部材（ラック部材１４及びタイミングバー１５）に関係する関係部材（ギヤ部材３２及びダンパーリンク３６）と、上端にガイドローラ２０と接続される車軸（対ガイドローラ接続部）２３を備えると共に、下端にケース部材３１に対しガイドレール１２に沿った方向に挿し込み係合ロックしかつ外部操作によりロック解除し得る係合ロック部材２１ｃを備えた支軸ブロック体２１と、を備え、支軸ブロック体２１の対ガイドローラ接続部２３は、ガイドレール１２の長手方向に対して水平に直交する方向に延びて設けられガイドローラ２０を片持ち式に支持する構成である。これにより、戸板の着脱を行うことができて、また係合ロック部材２１ｃを備えた支軸ブロック体２１を左右共通に、すなわち戸板の戸先及び戸尻において共通にできる。この構成によれば、支軸ブロック体２１の型を共通にすることにより、コスト削減を実現することができる。
【００１６】
上記構成の引戸用ランナー構造１０において、本発明に係る実施形態の特徴部分は、図５ケース部材３１は、引戸１３の隅角部の側端より凹設された収容部に対し、ガイドレール１２に沿った方向に着脱可能に内包されて係合する。これにより、支軸ブロック体を外すことなく、ユニット部材を戸板からすことで戸板を着脱することもできる。
以下、さらに詳述する。
【００１７】
ガイドレール１２は、図２及び図３に示すように、断面が中空の四角形として例えば長尺のアルミニウム材から構成されており、Ｚ方向下方が開放していると共に、図３に示すように、長手方向に垂直な横方向（Ｙ方向）の一側（図示の場合、後側）の下縁が内側に折り返されることにより、その先端が上方を向いたレール部１２ａを形成している。
ガイドレール１２は、図３に示すように、その内部の前側に沿って長手方向に延びるラック部材１４及びタイミングバー１５を備えている。
【００１８】
ラック部材１４は、図４に示すように、ガイドレール１２のほぼ全長に亘って配置されており、その下縁には所定ピッチのラック歯１４ａが形成されている。図示の場合、ラック部材１４は、その長さ方向に関して複数個に分割して形成され、端部が突き合わされることにより、連続的に配置されている。
ここで、ラック部材１４は、図３に示すように、上側に設けられた係合部１４ｂがガイドレール１２の上縁に設けられた係合溝１２ｂに係合することにより、ガイドレール１２に対して全長に亘って保持されている。これにより、ラック部材１４は、その全長に亘ってガイドレール１２に対して安定した状態で保持されることになる。
【００１９】
タイミングバー１５は、図４に示すように、ガイドレール１２の引き戸閉方向（Ｘ１方向）側の端部（図示の場合、左端）から所定距離Ｌだけ離れた位置から配置されていると共に、その左端付近の領域に、左端に向かって上向きに傾斜して形成されたテーパ部１５ａを備えている。図示の場合、タイミングバー１５は、その長さ方向に関して複数個に分割して形成されており、端部が突き合わされると共に、連結部１５ｂを介して連結されることにより、下面が連続した一つの面を画成している。タイミングバー１５の全体長さは、ガイドレール１２の全長の半分程度であり、所定距離Lを調整することにより、ブレーキのかかり位置を調整することができる。また、タイミングバー１５をガイドレール１２の引き戸開方向（Ｘ２方向）側の端部（図示の場合、右端）に完全に寄せた場合には、テーパ部１５ａがガイドレール１２の全長のほぼ中央に位置し、この場合においては、戸の閉方向への動きに対し常にブレーキがかかることとなる。この場合でも、タイミングバー１５は全長がガイドレール１２の引き戸開方向（Ｘ２方向）側の半分に収まるから、タイミングバー１５を切断する必要がない。
ここで、タイミングバー１５は、図３に示すように、上側に設けられた係合部１５ｃがラック部材１４に設けられた係合溝１４ｃに係合することにより、ラック部材１４そしてガイドレール１２に対して保持されている。これにより、タイミングバー１５は、その全長に亘ってラック部材１４を介してガイドレール１２に対して安定した状態で保持されることになる。
【００２０】
さらに、ラック部材１４の係合溝１４ｃとタイミングバー１５の係合部１５ｃとは、長手方向（Ｘ方向）に関してラッチ機構（図示せず）を備えており、タイミングバー１５がラック部材１４に対して長手方向（Ｘ方向）に位置調整され得る。
【００２１】
ガイドローラ２０は、図５及び図６に示すように、支軸ブロック体２１と、支軸ブロック体２１内でＸ方向及びＺ方向に移動可能に配置された支持部２２と、支持部２２に対して横向き（Ｙ方向）に延びる車軸２３に取り付けられた車輪２４を有している。
支軸ブロック体２１は、POM（ポリアセタール）等のプラスチック材料から成形され、上方が開放した中空のほぼ直方体状の外形を有しており、後述するように、ユニット部材３０に設けられた凹陥部内に着脱可能に取り付けられ、係止片２１ｃよりユニット部材３０に対して係合する。
【００２２】
支持部２２は、SPCC（圧延鋼板）またはZDC（亜鉛ダイキャスト）材料から成形され、支軸ブロック体２１の開放した上部から支軸ブロック体２１内に挿入されると共に、支軸ブロック体２１から上方に突出した部分に、車軸２３のための取付穴２２ａを有している。
さらに、支持部２２は、支軸ブロック体２１内に挿入された部分に、引き戸の閉側に向かって上方に延びる斜めスロット２２ｂを有している。
これに対して、支軸ブロック体２１の前側及び後ろ側の壁部には、長手方向に水平に延びるスロット２１ｂが形成されている。
そして、支軸ブロック体２１を前後に貫通するように延びるピン２５が、支持部２２の斜めスロット２２ｂ、支軸ブロック体２１の水平スロット２１ｂ及び補強板２６の水平スロット２６ｂに挿通され、ピン２５に穿設されたねじ孔には調整ネジ２１ａが螺合している。
このように、支持部２２は、支軸ブロック体２１内で、長手方向への移動に伴って、上下方向にも移動調整可能になっており、調整ネジ２１ａを正逆回転することにより、ピン２５が長穴である各スロット内を移動し、これに伴って支持部２２が支軸ブロック体２１内で上下動し、調整された位置で固定される。
【００２３】
尚、支軸ブロック体２１は、SPCC（圧延鋼板）等の金属材料から成る補強板２６により、前壁，右側壁及び後壁が補強されている。
また、支軸ブロック体２１は、図６に示すように、その下面に左方に延びる係止片２１ｃを備えており、ユニット部材３０の凹陥部内に挿入されたとき、この係止片２１ｃが凹陥部内に設けられた係止部（図示せず）に係合することにより、凹陥部内に係止されると共に、この係止片２１ｃの先端を押し上げることにより、係止部に対する係合が解除されるようになっている。
【００２４】
車輪２４は、支軸ブロック体２１の中心より後寄りに配置されており、ガイドレール１２の後寄りに設けられたレール部１２ａに乗ることにより、所謂片輪支持にてレール部１２ａ上を転動する。
【００２５】
回転力蓄勢機構としてのユニット部材３０は、図７、図８及び図９に示すように、ケース部材３１，ギヤ部材３２，ベース部材３３，ダンパーリンク３６及びロータリーダンパー３８を有している。
ケース部材３１は、図９に示すように、引戸１３の上端に取り付けられる第一のケース部材３４と、この第一のケース部材３４に対してＹ方向に延びる回転中心軸３４ａの周りに揺動可能に支持された第二のケース部材３５と、第二のケース部材３５に取り付けられたダンパーリンク３６と、を有している。
【００２６】
第一のケース部材３４は、二つの部分即ち第一の部分３４ｂ及び第二の部分３４ｃと、ガイド部材３４ｄと、から構成されている。
第一の部分３４ｂは、ガイドローラ２０の支軸ブロック体２１を受容する凹陥部３４ｅを備えている。
第二の部分３４ｃは、底部及び長手方向両側に位置する両側壁を有しており、これら両側壁により画成される空間内に、第二のケース部材３５を受容する。
【００２７】
ここで、第二の部分３４ｃは、その引戸閉方向Ｘ１の端部付近にて回転中心軸３４ａの周りに揺動して、その反対側が上下方向（Ｚ方向）に移動可能に支持されている。
そして、第一の部分３４ｂと第二の部分３４ｃとは、互いに組み合わされ、固定されることにより、一体の第一のケース部材３４として構成される。
【００２８】
また、ガイド部材３４ｄは、第二の部分３４ｃから引戸開方向側に張り出す両側壁を有しており、この両側壁が、第二のケース部材３５を両側から挟持して、第二のケース部材３５の揺動時にガイドとして作用する。
このガイド部材３４ｄも、第一の部分３４ｂ及び第二の部分３４ｃに対して第一のケース部材３４として一体化される。
【００２９】
第二のケース部材３５は、同様に底部及び両側壁を有しており、これら両側壁の間に、ギヤ部材３２，ベース部材３３，ダンパーリンク３６及びロータリーダンパー３８を受容する。
ここで、第二のケース部材３５は、その引戸閉方向Ｘ１の端部下方に設けられた当接部３５ａと第一のケース部材３４との間に設けられた圧縮バネ３７により、引戸開方向Ｘ２に向かって付勢されている。これにより、第二のケース部材３５が回転中心軸３４ａの周りに揺動して、第二のケース部材３５全体がＺ方向上方に向かって付勢される。
【００３０】
ダンパーリンク３６は、第一のケース部材３４の回転中心軸３４ａの周りに揺動可能に支持されており、その一方のアーム部３６ａが、タイミングバー１５の下面に当接し得るように上方に向かって引き戸開方向Ｘ２に斜めに突出し、また他方のアーム部３６ｂが、台座部３８ｄを介してロータリーダンパー３８の回転軸を支持している。
さらに、ダンパーリンク３６は、付勢バネ３６ｃによって、他方のアーム部３６ｂが引き戸開方向Ｘ２に向かって付勢され、これにより図７において左旋回性を付与されている。
尚、ユニット部材３０が引き戸開方向Ｘ２に移動する際には、ダンパーリンク３６の一方のアーム部３６ａは、タイミングバー１５のテーパ部１５ａに沿って摺動することにより、円滑にタイミングバー１５の下面に誘導され、タイミングバー１５の下面に当接することになる。
【００３１】
ロータリーダンパー３８は、ダンパー部３８ａと、ダンパー部３８ａと同軸に且つ一体化されたギヤ部３８ｂと、を有している。
ダンパー部３８ａは、ギヤ部３８ｂの回転を抑制するように作用する。
ここで、ダンパーリンク３６の一方のアーム部３６ａがタイミングバー１５の下面に当接しているときには、図７に示すように、ギヤ部３８ｂは、ギヤ部材３２とは噛合せず、またアーム部３６ａがタイミングバー１５の設けられていない部分に位置する場合には、ダンパーリンク３６が付勢バネ３６ｃによって付勢されることにより、図１０に示すように、ギヤ部３８ｂは、ギヤ部材３２と噛合する。
尚、ロータリーダンパー３８の回転軸３８ｃは、第一のケース部材３４の第二の部分３４ｃの両側壁に設けられた円弧状のスリット３４ｆ内に配置されていることにより、ダンパーリンク３６の揺動に伴って、スリット３４ｆ内を円滑に移動されるようになっている。
【００３２】
ギヤ部材３２は、第二のケース部材３５の長手方向中央付近の上部にて、Ｙ方向に延びる軸体３２ａの周りに回転可能に支持されており、その歯３２ｂが、ガイドレール１２に取り付けられたラック部材１４のラック歯１４ａと噛合し、ユニット部材３０の長手方向（Ｘ方向）の移動に伴って、ギヤ部材３２が回転する。
【００３３】
ギヤ部材３２は、第二のケース部材３５が圧縮バネ３７の作用によってＺ方向上方に付勢されていることにより、ガイドレール１２のラック部材１４に対して押圧される。これにより、ギヤ部材３２は、ラック部材１４に歪み，組み付け誤差等による位置ずれがあったとしても、常に確実にラック部材１４のラック歯１４ａと噛合することになる。
【００３４】
さらに、ギヤ部材３２には、一体にゼンマイケース３２ｃが取り付けられている。ゼンマイケース３２ｃ内には、ゼンマイ３２ｅ（渦巻ばね；図示せず）が内蔵されており、引戸が引戸開方向Ｘ２に移動されて、ラック部材１４に沿ってギヤ部材３２が回転移動することにより、ギヤ部材３２の回転によりゼンマイ３２ｅが巻き上げられ、このゼンマイ３２ｅの復元力によってギヤ部材３２が逆回転されることにより、引戸が自動的に引戸閉方向Ｘ１に移動する。
ここで、ゼンマイケース３２ｃは、外形が軸体３２ａを中心とする偏平な円筒状に形成されている。
【００３５】
ベース部材３３は、図１１に示すように、ギヤ部材３２に一体化されたゼンマイケース３２ｃの下側部分に沿うように円弧状に形成されていると共に、その引戸閉方向Ｘ１側の端部が、Ｙ方向に延びる回転中心軸３３ａの周りに揺動可能に支持されている。
また、ベース部材３３の引戸開方向Ｘ２側の端部は、ダンパー３９によって、上方に向かって付勢されている。
尚、ダンパー３９の付勢力は、後述するフリーローラ４０に付与する負荷がゼンマイ３２ｅの復元力より小さく選定されている。
【００３６】
ゼンマイケース３２ｃとベース部材３３との間には、フリーローラ４０が配置されている。
フリーローラ４０は、ギヤ部材３２そしてゼンマイケース３２ｃの回転に伴って、ゼンマイケース３２ｃとベース部材３３との間の間隙内を転動する。その際、ベース部材３３がダンパー３９によってゼンマイケース３２ｃに接近する方向に付勢されているので、フリーローラ４０は、転動の際に所定の摩擦による負荷を受けることになる。
ベース部材３３の引戸開方向Ｘ２側の端部寄りの領域には、一対の規制ローラ３３ｂ，３３ｃが設けられている。これらの規制ローラ３３ｂ，３３ｃは、それぞれＹ方向に延びる横向きの回転軸３３ｄ，３３ｅにより、ベース部材３３に対して回転可能に枢支されている。
ここで、開側の規制ローラ３３ｂは、ベース部材３３の引戸開方向側の端部付近に配置されており、閉側の規制ローラ３３ｃは、開側の規制ローラ３３ｂより回転中心軸３３ａ寄りに配置されている。
尚、ベース部材３３は、ゼンマイケース３２ｃに対向する湾曲面が、開側の規制ローラ３３ｂから閉側の規制ローラ３３ｃに向かって、ゼンマイケース３２ｃに対する距離が徐々に小さくなるようにテーパ状に形成されている。
【００３７】
これにより、引戸の引戸開方向Ｘ２への移動の際には、ギヤ部材３２が図７にて左回転して、ゼンマイ３２ｅが巻き上げられると共に、ゼンマイケース３２ｃの左回転に伴って、フリーローラ４０が、ダンパー３９の付勢力に抗してベース部材３３を右旋させて、ベース部材３３とゼンマイケース３２ｃとの間の間隙を押し広げながら、ベース部材３３とゼンマイケース３２ｃの間を開側の規制ローラ３３ｂに向かって転動する。
そして、図１１に示すように、フリーローラ４０が開側の規制ローラ３３ｂに乗り上げると、この開側の規制ローラ３３ｂが自由に回転可能であることから、フリーローラ４０が空転することになり、ギヤ部材３２も自由に回転し得る。
【００３８】
この状態から、引戸の開方向への移動が停止すると、ゼンマイケース３２ｃ内に収容されたゼンマイ３２ｅの復元力によって、ギヤ部材３２が右回転し、これに伴って、フリーローラ４０が、図１２に示すように、ゼンマイケース３２ｃとベース部材３３との間を閉側の規制ローラ３３ｃに向かって転動する。
その際、フリーローラ４０は、ダンパー３９の付勢力によって、ゼンマイケース３２ｃとベース部材３３との間に挟持されていることによって、負荷を加えられるので、転動が抑制され、低速で回転することになる。
ここで、ダンパー３９の付勢力を適宜に調整して、フリーローラ４０そしてゼンマイケース３２ｃ，ギヤ部材３２の回転速度、そしてゼンマイ３２ｅの復元力による引戸の閉方向への移動速度を設定することにより、フリーローラ４０が開側の規制ローラ３３ｂから閉側の規制ローラ３３ｃまで移動する間の所要時間を任意に設定することができる。
【００３９】
そして、図１３に示すように、フリーローラ４０が転動して閉側の規制ローラ３３ｃに乗り上げると、この閉側の規制ローラ３３ｃが自由に回転可能であることから、フリーローラ４０が空転し、ギヤ部材３２も自由に回転し得る。
このようにして、引戸の開閉に伴って、フリーローラ４０は、規制ローラ３３ｂ，３３ｃの間を転動することになる。
【００４０】
上記のように構成された引戸用ランナー構造１０は、以下のように動作する。
まず、引戸１３が閉鎖状態にある場合には、図１０に示すように、ユニット部材３０のダンパーリンク３６の一方のアーム部３６ａは、タイミングバー１５の引戸閉方向側に位置しているので、付勢バネ３６ｃの張力によって右回転されて、ロータリーダンパー３８のギヤ部３８ｂがギヤ部材３２に噛合している。
このとき、フリーローラ４０は、図１３に示すように、閉側の規制ローラ３３ｃに乗り上げていることにより、空転する。
【００４１】
このような閉鎖状態から、操作者が引戸１３を引戸開方向Ｘ２に移動すると、引戸１３の開放移動に伴って、ラック部材１４に噛合するギヤ部材３２が左回転する。このとき、ギヤ部材３２の回転に伴って、ゼンマイケース３２ｃ内のゼンマイ３２ｅが巻き上げられると共に、フリーローラ４０がゼンマイケース３２ｃとベース部材３３との間を開方向側に向かって転動する。
そして、さらなるギヤ部材３２の回転により、フリーローラ４０が開側の規制ローラ３３ｂに乗り上げると、フリーローラ４０は空転する。
また、ダンパーリンク３６の一方のアーム部３６ａがタイミングバー１５のテーパ部１５ａに達すると、ダンパーリンク３６の一方のアーム部３６ａは、テーパ部１５ａに従って押し下げられ、付勢バネ３６ｃの張力に抗して右回転する。これにより、ロータリーダンパー３８のギヤ部３８ｂがギヤ部材３２から離反する。
このようにして、引戸１３が開放される。
【００４２】
ここで、操作者が引戸１３の開方向への移動を停止して手を離すと、ゼンマイケース３２ｃ内のゼンマイ３２ｅの復元力によって、ギヤ部材３２が右回転しようとするが、その際、フリーローラ４０がゼンマイケース３２ｃとベース部材３３との間で、ダンパー３９の付勢による摩擦力によって負荷を受けることによって、ゆっくりと閉側の規制ローラ３３ｃに向かって転動する。
このとき、ギヤ部材３２の回転による引戸１３の閉側への移動速度は、きわめてゆっくりであるので、見かけ上、一時停止しているように観察される。
【００４３】
所定時間後にフリーローラ４０が閉側の規制ローラ３３ｃに乗り上げると、フリーローラ４０が空転する。これにより、ギヤ部材３２は、フリーローラ４０による負荷を受けなくなるので、ゼンマイ３２ｅの復元力によって高速で回転し、引戸１３が閉方向に高速で移動する。
その後、引戸１３が閉鎖位置に近づいて、ダンパーリンク３６の一方のアーム部３６ａがタイミングバー１５の閉側の端部付近に達して、テーパ部１５ａに沿って移動すると、ダンパーリンク３６は、付勢バネ３６ｃの張力に基づいて旋回するので、図１０に示すように、ロータリーダンパー３８のギヤ部３８ｂがギヤ部材３２に噛合する。
このとき、ロータリーダンパー３８のダンパー部３８ａがギヤ部材３２の回転を抑制する。従って、ギヤ部材３２は、ゼンマイ３２ｅの復元力により回転し、その際ゆっくりと回転することになる。これにより、引戸１３は、ゆっくりと低速で閉鎖位置まで移動することになる。
【００４４】
このようにして、引戸１３の開放時には、開放開始と共にフリーローラ４０が閉側の規制ローラ３３ｃに乗り上げた位置から開側の規制ローラ３３ｂに乗り上げる位置まで転動する。ここで、引戸１３が途中の任意位置まで開放された場合でも、フリーローラ４０は確実に開側の規制ローラ３３ｂに乗り上げることになる。
そして、引戸１３が開放停止されたとき、フリーローラ４０がゼンマイケース３２ｃとベース部材３３との間もゆっくりと転動することにより、ギヤ部材３２も低速で回転するので、引戸１３は、見かけ上、開放停止位置で一時停止しているように観察される。
従って、操作者は、引戸１３を全開しなくても、引戸１３を任意の途中開放位置まで開放して、引戸１３から手を離しても、引戸１３は、その途中の開放位置で見かけ上一時停止するので、操作者は、引戸１３を押さえずに、両手を自由に使用しながら引戸１３が設置された開口部をゆっくりと通過することができる。
【００４５】
その後、所定時間が経過して、フリーローラ４０が閉側の規制ローラ３３ｃに乗り上げると、フリーローラ４０が空転する。これにより、ギヤ部材３２は、ゼンマイ３２ｅの復元力により高速で回転するので、引戸１３は、自動的に即ち操作者が何ら操作をすることなく、ガイドレール１２に沿って高速で閉方向に移動する。
そして、引戸１３が閉鎖位置に近づくと、ダンパーリンク３６の一方のアーム部３６ａがタイミングバー１５からテーパ部１５ａを通って外れるので、ダンパーリンク３６が回転して、ロータリーダンパー３８のギヤ部３８ｂがギヤ部材３２に噛合して、ギヤ部材３２の回転を制動する。従って、ギヤ部材３２はゆっくりと回転し、引戸１３が低速で閉鎖位置まで移動する。これにより、引戸１３が閉鎖する最終段階で低速になるので、引戸１３の閉鎖時における指挟み等が発生したとしても、引戸１３による衝撃が小さくなる。
【００４６】
ここで、戸枠１１が設置される開口部の建付精度によっては、引戸１３を戸枠１１に取り付けた場合に、引戸１３の上縁と戸枠１１の下縁との間の間隙が変動することがある。
前述したように、ユニット部材３０を構成するケース部材３１が、第一のケース部材３４と第二のケース部材３５とから構成されていて、第二のケース部材３５が第一のケース部材３４に対して揺動可能に支持されることにより、第二のケース部材３５が上下方向に調整可能である。
これにより、第二のケース部材３５が圧縮バネ３７の張力に基づいて上方に付勢されているので、ギヤ部材３２が常にラック部材１４と噛合する。
【００４７】
図１４は、第二のケース部材３５の上下方向の上限位置を示している。
図１４において、第二のケース部材３５は、第一のケース部材３４に対して、回転中心軸３４ａの周りに揺動して、全体が上方に移動して、その上限位置に位置しており、第一のケース部材３４の上縁とガイドレール１２の下端との間の間隔は、Ｄ１である。
このとき、第二のケース部材３５に支持されたギヤ部材３２は、第二のケース部材３５と共に上方に移動することによって、ラック部材１４と確実に噛合している。
尚、ダンパーリンク３６は、その一方のアーム部３６ａが大きく上方に揺動した状態にあり、ロータリーダンパー３８の回転軸３８ｃは、第一のケース部材３４のスロット３４ｆの一端付近に位置する。スロット３４ｆは、第一のケース部材３４の揺動を規制するものではなく、逃げが生じるよう設計されている。この状態で、ロータリーダンパー３８のギヤ部３８ｂは、ギヤ部材３２に噛合している。
【００４８】
また、図１５は、第二のケース部材３５の上下方向の下限位置を示している。
図１５において、第二のケース部材３５は、第一のケース部材３４に対して、回転中心軸３４ａの周りに揺動して、全体が下方に移動して、その下限位置に位置しており、第一のケース部材３４の上縁とガイドレール１２の下端との間の間隔は、Ｄ２である。
このとき、第二のケース部材３５に支持されたギヤ部材３２は、第二のケース部材３５と共に下方に移動することによって、ラック部材１４と確実に噛合している。
この場合も、ロータリーダンパー３８のギヤ部３８ｂは、ギヤ部材３２と噛合している。
【００４９】
このようにして、第二のケース部材３５の第一のケース部材３４に対する上下方向の揺動によって、第一のケース部材３４の上縁とガイドレール１２の下端との間の間隔は、Ｄ１からＤ２の間で調整されるので、開口部の建付精度が低くても、適正に引戸１３を設置することが可能である。
【００５０】
このような第二のケース部材３５の上下方向の移動調整に関連して、ガイドレール１２及びラック部材１４が歪み等により長手方向に関して真っ直ぐに配置されていない場合であっても、引戸１３のガイドレール１２に沿う移動に伴って、第二のケース部材３５が上下方向に移動することによって、ギヤ部材３２は、ラック部材１４の歪み等に追従してラック部材１４と噛合する。これにより、ギヤ部材３２は、常にラック部材１４と噛合し、安定した動作が確保され得る。
従って、従来は、ガイドローラの車輪の位置を上下方向に調整することによって、引戸の高さ調整をしており、このようなガイドレール１２等の歪みに対応することは不可能であったが、本発明実施形態による引戸用ランナー構造１０によれば、第二のケース部材３５の上下方向の移動調整によって、ラック部材１４の歪み等に対して、十分に対応することが可能となる。
【００５１】
また、このように第二のケースが上下方向に移動調整されることによって、ダンパーリンク３６もタイミングバー１５に対して上下方向に移動することになるが、ダンパーリンク３６の一方のアーム部３６ａが大きく上方に揺動したときでも、ロータリーダンパー３８のギヤ部３８ｂはギヤ部材３２に噛合する。
従って、ダンパーリンク３６とタイミングバー１５による引き戸１３の閉鎖時における閉鎖位置直前の減速は、このような第二のケース部材３５の揺動による影響を受けることがなく、引き戸１３の閉鎖の際には、引き戸１３が閉鎖位置直前に達したとき、適宜のタイミングで引き戸１３の閉鎖速度が確実に減速され得る。
尚、第二のケースの上下方向の移動調整により、ダンパーリンク３６とタイミングバー１５のテーパ部１５ａとの長手方向に関する当接位置が僅かに変動するが、この当接位置は、タイミングバー１５を長手方向に移動調整することにより、所定の長手方向位置に正確に調整することも可能である。
【００５２】
次に、図１６及び図１７において、上記構成の引戸用ランナー構造１０を利用して、引戸１３を戸枠１１に設置する手順を説明する。
まず、ラック部材１４及びタイミングバー１５を組み付けたガイドレール１２を戸枠１１の上縁の下面に対して取り付ける。また、引戸１３の上端には、閉方向端部に隣接して、ユニット部材３０を取り付ける。
続いて、ガイドローラ２０を戸枠１１側のガイドレール１２に装着する。この場合、ガイドローラ２０を、その車輪２４が上向きになるように傾斜させて、車輪２４をガイドレール１２の開放した下端から内部に挿入し、車輪２４の下端をガイドレール１２のレール部１２ａに乗せる。そして、ガイドローラ２０全体を直立させることにより、ガイドローラ２０がガイドレール１２に装着される。
【００５３】
その後、引戸１３の上端を戸枠１１の下縁に対向するように開口部内に位置させ、ガイドローラ２０をＸ方向に移動させながら、引戸１３に取り付けられたユニット部材３０の第一のケース部材３４の凹陥部３４ｅ内に挿入する。
ここで、ガイドローラ２０を凹陥部３４ｅ内に完全に挿入すると、係合ロック部材２１ｃが凹陥部３４ｅ内の係止部と係合して、ガイドローラ２０が凹陥部３４ｅ内に係止される。
【００５４】
引戸を１３を戸枠１１から取り外す場合には、係合ロック部材２１ｃを操作して、係止を解除することにより、ガイドローラ２０が容易にユニット部材３０から取り外される。
このようにして、本発明による引戸用ランナー構造１０によれば、引戸１３が戸枠１１に対して容易に着脱可能に設置され得る。
【００５５】
本発明はその趣旨を逸脱しない範囲において様々な形態で実施することができる。
例えば、上述した実施形態においては、ベース部材３３はダンパー３９によって上方に向かって付勢されているが、これに限らず、圧縮バネ等の弾性部材によって上方に向かって付勢されていてもよい。
上述した実施形態においては、引戸１３は、ギヤ部材３２に組み込まれたゼンマイ３２ｅの復元力によって、閉方向に付勢されているが、これに限らず、引戸１３は、他の付勢手段によって閉方向に付勢されていてもよい。
例えば、付勢手段として、ガイドレール１２が閉方向に向かって低くなるように傾斜して配置されていてもよい。これにより、ガイドレール１２にガイドローラ２０により吊り下げられて支持された引戸１３は、引戸１３の自重に基づいて、傾斜したガイドレール１２により生ずる閉方向への分力によって、常に閉方向への付勢力を受けることになる。
【００５６】
上述した実施形態においては、タイミングバー１５は、その閉方向側の端部にテーパ部１５ａを備えているが、これに限らず、開方向側の端部にテーパ部を備えていてもよい。これにより、ダンパーリンク３６の一方のアーム部３６ａがタイミングバー１５に当接しているときに、ロータリーダンパー３８のギヤ部３８ｂがギヤ部材３２と噛合するようにすれば、同様に引戸１３の閉鎖時に、引戸１３が閉鎖位置直前に達したとき、ギヤ部材３２がロータリーダンパー３８の作用によって減速される。
上述した実施形態においては、ダンパーリンク３６は、付勢バネ３６ｃによって、ロータリーダンパー３８のギヤ部３８ｂをギヤ部材３２に噛合させるように、付勢されているが、これに限らず、ロータリーダンパー３８の回転軸３８ｃが直接に付勢部材により、作動側に付勢されていてもよい。
【００５７】
上述した実施形態においては、ロータリーダンパー３８がギヤ部３８ｂ，ギヤ部材３２を介してラック部材１４に関係し、引き戸１３の閉鎖速度を低減させるように構成されているが、これに限らず、ロータリーダンパー３８が直接にラック部材１４に関係して、ラック部材１４に対するケース部材３１またはユニット部材３０の制動を行なうようにしてもよい。
上述した実施形態においては、ロータリーダンパー３８の回転軸３８ｃは、ダンパーリンク３６のアーム部３６ｂに台座部３６ｄを介して連結されているが、これに限らず、回転軸３８ｃがダンパーリンク３６と連結されていないが摺動または揺動可能であってアーム部３６ｂにより作動側及び非作動側に押動されるように構成されていてもよい。
【００５８】
また、上述した実施形態においては、戸枠１１の上縁にガイドレール，ラック部材及びタイミングバーが取り付けられて、引戸１３の上端にガイドローラ及びユニット部材が取り付けられているが、これに限らず、戸枠１１の下縁にガイドレール，ラック部材及びタイミングバーが取り付けられて、引戸１３の下端にガイドローラ及びユニット部材が取り付けられていてもよい。
【００５９】
さらに、上述した実施形態においては、戸枠側にガイドレール，ラック部材及びタイミングバーが取り付けられ、引戸側にガイドローラ及びユニット部材が取り付けられているが、これに限らず、引戸側にガイドレール，ラック部材及びタイミングバーが取り付けられ、戸枠側にガイドローラ及びユニット部材が取り付けられていてもよい。
【００６０】
以上述べたように、上記実施形態によれば、簡単な構成により、戸枠に対して引戸を自動的に閉鎖することができるようにした、極めて優れた引戸用ランナー構造が提供される。
【符号の説明】
【００６１】
１０  引戸用ランナー構造
１１  戸枠
１２  ガイドレール
１２ａ  レール部
１２ｂ  係合溝
１３  引戸（戸板）
１４  ラック部材
１４ａ  ラック歯
１４ｂ  係合部
１４ｃ  係合溝
Ｘ１  引戸閉方向
Ｘ２  引戸開方向
Ｌ  所定距離
１５  タイミングバー
１５ａ  テーパ部
１５ｂ  連結部
１５ｃ  係合部
２０  ガイドローラ
２１  支軸ブロック体
２１ａ  調整ネジ
２１ｂ  スロット
２１ｃ  係合ロック部材
２２  支持部
２２ａ  取付穴
２２ｂ  斜めスロット
２３  車軸
２４  車輪
２５  固定ピン
２６  補強板
３０  ユニット部材
３１  ケース部材
３２  ギヤ部材
３２ａ  軸体
３２ｂ  歯
３２ｃ  ゼンマイケース
３２ｄ  クリップ部材
３２ｅ  ゼンマイ
３３  ベース部材
３３ａ  回転中心軸
３３ｂ  規制ローラ
３３ｃ  規制ローラ
３３ｄ，３３ｅ  回転軸
３４  第一のケース部材
３４ａ  回転中心軸
３４ｂ  第一の部分
３４ｃ  第二の部分
３４ｄ  ガイド部材
３４ｅ  凹陥部
３４ｆ  スリット
３５  第二のケース部材
３５ａ  当接部
３６  ダンパーリンク
３６ａ  アーム部
３６ｂ  アーム部
３６ｃ  付勢バネ
３７  圧縮バネ
３８  ロータリーダンパー
３８ａ  ダンパー部
３８ｂ  ギヤ部
３８ｃ  回転軸
３９  ダンパー
４０  フリーローラ
４１  軸用止め輪
４２  止着具
【図１】
2014101667.tif 000003
【図２】
2014101667.tif 000004
【図３】
2014101667.tif 000005
【図４】
2014101667.tif 000006
【図５】
2014101667.tif 000007
【図６】
2014101667.tif 000008
【図７】
2014101667.tif 000009
【図８】
2014101667.tif 000010
【図９】
2014101667.tif 000011
【図１０】
2014101667.tif 000012
【図１１】
2014101667.tif 000013
【図１２】
2014101667.tif 000014
【図１３】
2014101667.tif 000015
【図１４】
2014101667.tif 000016
【図１５】
2014101667.tif 000017
【図１６】
2014101667.tif 000018
【図１７】
2014101667.tif 000019